(57)【要約】【課題】光透過性材料を利用して十分な光量を確保することのできるスポット的な照明と、直管の蛍光灯と同様の使用をも可能とする照明装置の提供を目的とする。【解決手段】棒状のライトガイドファイバー３の一端側端面３Ａに光源５を設け、他端側端面３Ｂから光を照射して照明するようにすると共に、ライトガイドファイバー３の側面に光拡散加工部６を形成する。これにより、端面３Ａから入射した光源５の光は、他端側端面３Ｂから外へ放出される。この光は、スポット的に集光されたものであり、十分な光量を得ることができる。ライトガイドファイバー３の側面を光拡散加工することにより、当該光拡散加工部６で光が乱反射し、反対側の側面から光が外へ放出して照射される。この場合は、直管の蛍光灯と同じ使用態様が確保される。【選択図】  図１
2005150001.tif 000002
【特許請求の範囲】
【請求項１】
棒状のライトガイドファイバーの一端側端面に光源を設け、他端側端面から光を照射して照明するようにすると共に、ライトガイドファイバーの側面に光拡散加工を施したことを特徴とするファイバー照明装置。
【請求項２】
収納位置から一端側を枢支点として揺動自在とした棒状のライトガイドファイバーの当該一端側端面に光源を設け、他端側端面から光を照射して照明するようにすると共に、ライトガイドファイバーの側面に光拡散加工を施したことを特徴とするファイバー照明装置。
【請求項３】
棒状のライトガイドファイバーの一端側端面に光源を設け、他端側端面から光を照射して照明するようにしたことを特徴とするファイバー照明装置。
【発明の詳細な説明】
【技術分野】
【０００１】
本発明は、アクリル棒等の光を伝搬する光透過性材料を用いて端面から光を照射することでスポット的な照明を得るようにし、また側面に光拡散加工を施して側面からも光を照射できるようにすることで直管の蛍光灯と同様の使用をも可能とする照明装置に関するものである。
【背景技術】
【０００２】
光を伝搬する光透過性材料を用いた技術としては、特許文献１に記載された照明装置が公知である。この先願の照明装置は、断面半円形状の棒状のアクリル樹脂（光透過性材料）を準備してその内部に光源としてのＬＥＤを設置し、これを断面半円形状の木材に合わせて棒状の手摺りを構成している。また棚板の下面側には、全体を棒状のアクリル樹脂とし、その内部に光源としてのＬＥＤを設置している。
内部のＬＥＤにより、棒状の手摺りの半分又は棒状の樹脂材料の全体が光り、室内照明装置を点灯させずとしても、局部的に照明を得るようにしている。
【０００３】
一方、特許文献２の技術にあっては、調理台の上面側に照明機構を設置し、キャビネット内に光源ランプを設置し、両者間を光ファイバーで光学的に接続している。前記光ファイバーは、光源ランプの照明を単に照明機構へ伝達するのみの機能を有している。
【特許文献１】特開２００１ー１１２６５５号公報
【特許文献２】実開平６ー７５２３５号公報
【発明の開示】
【発明が解決しようとする課題】
【０００４】
ところが、前記特許文献１の照明装置にあっては、棒状のアクリル樹脂を断面半円形状に切断して、同様に切断した断面半円形状の木材に接合する必要があり、製造に多くの手間を要するという欠点と、断面半円形状のアクリル樹脂の全体がボヤット光る照明しか得られず、使用目的によっては光量が足りないという欠点があった。
また特許文献２の技術では、光透過性材料である光ファイバーは、光源ランプの照明を単に照明機構へ伝達するのみであり、光ファイバー自体が光を発光して照明するものではなかった。
【０００５】
本発明は従来の前記課題に鑑みてこれを改良除去したものであって、光透過性材料を利用して十分な光量を確保することのできるスポット的な照明と、直管の蛍光灯と同様の使用をも可能とする照明装置を提供せんとするものである。
【課題を解決するための手段】
【０００６】
而して、前記課題を解決するために本発明が採用した請求項１の手段は、棒状のライトガイドファイバーの一端側端面に光源を設け、他端側端面から光を照射して照明するようにすると共に、ライトガイドファイバーの側面に光拡散加工を施したことを特徴とするファイバー照明装置である。
【０００７】
本発明が採用した請求項２の手段は、収納位置から一端側を枢支点として揺動自在とした棒状のライトガイドファイバーの当該一端側端面に光源を設け、他端側端面から光を照射して照明するようにすると共に、ライトガイドファイバーの側面に光拡散加工を施したことを特徴とするファイバー照明装置である。
【０００８】
本発明が採用した請求項３の手段は、棒状のライトガイドファイバーの一端側端面に光源を設け、他端側端面から光を照射して照明するようにしたことを特徴とするファイバー照明装置である。
【発明の効果】
【０００９】
請求項１の発明にあっては、光透過性材料としての棒状のアクリル樹脂の一端側端面に光源を設け、他端側端面から光を放出して照射するようにしている。そのため、この他端側端面から外へ放出される光は、スポット的に集光されたものとなり、十分な光量を得ることができる。またこの発明にあっては、棒状のアクリル樹脂の側面を光拡散加工を施すことにより、当該側面部分で光が乱反射し、反対側の側面から光が外へ放出して照射される。この場合は、直管の蛍光灯と同じ使用態様が可能である。
【００１０】
請求項２の発明にあっては、請求項１のライトガイドファイバーをその一端側を枢支点として揺動自在とし、収納位置から取出自在としている。従って、収納した状態では、直管の蛍光灯と同じように使い、取り出した状態では、任意の箇所をスポット照明することができ、いろいろな使用態様ができ、便利である。
【００１１】
請求項３の発明にあっては、光透過性材料としての棒状のアクリル樹脂の一端側端面に光源を設け、他端側端面から光を放出して照射するようにしている。そのため、この他端側端面から外へ放出される光は、スポット的に集光されたものとなり、十分な光量を得ることができる。
【発明を実施するための最良の形態】
【００１２】
以下に、本発明の構成を図面に示す発明の実施の形態に基づいて説明すると次の通りである。図１は本発明の第１の実施の形態に係るファイバー照明装置１を示す透視斜視図である。同図に示す如く、この実施の形態にあっては、台所の流し台の上方に設置されるアッパーキャビネット２の下面側に、ライトガイドファイバー３を一端側を枢支点として揺動自在に取り付け、下面側が開口した収納ボックス４に対して出し入れ自在としている。ライトガイドファイバー３は、光透過性材料から成形されており、例えばアクリル樹脂である。ライトガイドファイバー３の枢着は、球面軸受（図示せず）等を介して行えばよい。そして、球面軸受とライトガイドファイバー３の端面３Ａとの間に発光源としての超高輝度白色ＬＥＤ５を配設している。一方、ライトガイドファイバー３の他端側の端面３Ｂは、素材としてのアクリル樹脂が剥き出しになっている。
【００１３】
またライトガイドファイバー３の側面には、光拡散加工を施している。光拡散加工は、該当する部分に塗料を塗布したり、サンドブラスト等で意図的に疵を付けてその表面を粗面にしたり、テープを貼ったりすることで光拡散部６とすることが可能である。またライトガイドファイバー３を収納ボックス４へ収納したときに、収納ボックス４の内面に設けた軟質のゲル状物等の密着性の良い材料と接触させることで光拡散部６を形成することも可能である。
【００１４】
次に、このように構成されたファイバー照明装置１の使用態様について説明する。図１の鎖線で示すように、ライトガイドファイバー３を収納ボックス４内に収納している状態では、超高輝度白色ＬＥＤ５側の端面３Ａとは反対側の端面３Ｂは、収納ボックス４内にあり、流し台のある作業領域をスポット的に照明する等の照明機能は停止している。
一方、ライトガイドファイバー３の側面に設けた光拡散部６では、当該ファイバー内を屈折を繰り返しながら進む光が拡散して乱反射し、反対側の側面から外へ放出されて照射される。そのため、このボックス４内へ収納している状態のライトガイドファイバー３は、直管式の蛍光灯の場合と同じように、その長さ方向の殆ど全領域において、ライトガイドファイバー３の下面に位置する側面から光が下方へ向けて照射され、ライトガイドファイバー３の下方領域を満遍なく十分な光量で照明することが可能である。
【００１５】
このような使用状態からライトガイドファイバー３の先端側を摘んで球面軸受部の枢支点を中心にして揺動させ、図１の実線で示す状態へ引き出して使用する場合は、先端側の端面３Ｂを照射したい領域へ向けて使用する。超高輝度白色ＬＥＤ５から照射された光は、ファイバー内を伝搬して先端の端面３Ｂ側から外へ放出されて照射され、目標となる作業領域を十分な光量でもってスポット的に照明するようになる。
また同時に、収納時の場合と同じように、側面に設けた光拡散部６で乱反射した光は、その反対側の側面から外へ放出されて照射され、その側面領域を照明する。この側面領域の照明はライトガイドファイバー３をその外周面方向へ回転させることで、照明する側面領域を任意に設定することが可能である。つまり、壁側へ向けたり、左右の側面のいずれかへ向けたり、正面側へ向けたりして当該領域を照明することが任意に可能である。
【００１６】
図２は、本発明の第２の実施の形態に係るファイバー照明装置７を示す透視斜視図である。同図に示す如く、この実施の形態にあっては、ライトガイドファイバー３の先端面３Ｂ寄りの位置に、光を集光したり、拡散させたり、遮光したりすることのできる光量調整器具８を設けている。従って、先端面３Ｂから照射される光の量を遮光の場合を含めて調節することができ、好みの光量で照明を行うことができる。その他の構成並びに作用効果は、前記第１の実施の形態の場合と同じである。
【００１７】
図３は、本発明の第３の実施の形態に係るものである。この実施の形態では、第１の実施の形態の光拡散部６を省略し、先端面３Ｂからのスポット的な照明のみを行うようにしている。その他の構成並びに作用効果は、前記第１の実施の形態の場合と同じである。
【図面の簡単な説明】
【００１８】
【図１】本発明の第１の実施の形態に係るファイバー照明装置を示す透視斜視図である。
【図２】本発明の第２の実施の形態に係るファイバー照明装置を示す透視斜視図である。
【図３】本発明の第３の実施の形態に係るファイバー照明装置を示す透視斜視図である。
【符号の説明】
【００１９】
１，７，９…ファイバー照明装置、２…アッパーキャビネット、３…ライトガイドファ  イバー、３Ａ，３Ｂ…端面、４…収納ボックス、５…（光源）超高輝度白色ＬＥＤ、６  …光拡散部
【図１】
2005150001.tif 000003
【図２】
2005150001.tif 000004
【図３】
2005150001.tif 000005